(57)【特許請求の範囲】
【請求項１】
機能部品を収容した筐体が浴室ユニットに形成された壁開口部に取り付けられた浴室であって、
前記筐体は、
全体箱状に形成されるとともに前記機能部品の前面側に開口を有した筐体本体と、
前記筐体本体の内部側から前記開口を覆う透光性を有したカバー部材と、
前記筐体本体の内部に設けられて前記カバー部材を前記筐体本体の開口周辺に向かって押圧する押圧部材と、
前記筐体本体の開口周辺と前記カバー部材との間に介装される止水部材と、を備えることを特徴とする浴室。
【請求項２】
前記押圧部材と前記カバー部材との間に介装される弾性部材をさらに備えることを特徴とする請求項１に記載の浴室。
【請求項３】
前記筐体本体は、前記開口が形成されて前記機能部品の前面側に設けられる前枠体と、前記機能部品の背面側に設けられて該機能部品が固定される後枠体と、を水密に連結して構成されることを特徴とする請求項１又は２に記載の機能部品の浴室。
【発明の詳細な説明】
【技術分野】
【０００１】
本発明は、機能部品を収容した筐体が浴室ユニットに取り付けられた浴室に関する。
【背景技術】
【０００２】
従来、浴室の壁にテレビ受像機等の機能部品を取り付けるための構造が提案されている（例えば、特許文献１参照）。特許文献１に記載された浴室用テレビケースの構造は、浴室の壁パネルに埋め込まれるケースと、このケースの浴室内側を覆うハーフミラーと、を備え、ケースには、薄型テレビを収納する収納凹部と、壁パネルの浴室内面に当接するフランジ片と、が形成されている。このケースは、浴室内側から壁パネルの開口部に挿入され、フランジ片が壁パネルの開口部端縁に係止されることで、壁パネルに支持されるようになっている。また、ハーフミラーは、粘着材を介してフランジ片に取り付けられている。
【０００３】
しかし、特許文献１に記載された浴室用テレビケースでは、浴室で使用するための止水性が十分考慮されておらず、水の浸入や湿気によるハーフミラーやテレビ受像機の劣化が懸念される。一方、ディスプレイを収容する筐体に防水性を付与した画像表示装置が提案されている（例えば、特許文献２参照）。特許文献２に記載された画像表示装置は、ディスプレイを収容する筐体と、筐体の前方側に設けられる前枠体と、ディスプレイの前面に設けられる透明板と、筐体と透明板のフランジ部との間に設けられるシール部材と、を備え、筐体と前枠体とをねじで締め付けることで、前枠体とシール部材とで透明板のフランジ部を挟み込んで止水性を確保しようとする構造になっている。
【先行技術文献】
【特許文献】
【０００４】
【特許文献１】特開２００１−３２７４２８号公報
【特許文献２】特開２０１２−５４９２９号公報
【発明の概要】
【発明が解決しようとする課題】
【０００５】
しかしながら、特許文献２に記載されたような従来の機能部品の収容構造では、筐体と前枠体とをねじで締め付けることで、筐体がシール部材を透明板のフランジ部に押圧しているため、筐体の形状やシール部材の位置が限定されてしまう。また、透明板のフランジ部をシール部材よりも外方まで延ばす必要があり、透明板の端縁が止水位置よりも外部に露出することになり、透明板の劣化が懸念されるとともに、透明板の裏面（ディスプレイ側の面）を伝って水が浸入しやすくなることで止水性が低下する可能性がある。
【０００６】
本発明の目的は、筐体の形状や止水位置が制約されにくく、部材の劣化や止水性の低下を抑制することができる浴室を提供することにある。
【課題を解決するための手段】
【０００７】
本発明の浴室は、機能部品を収容した筐体が浴室ユニットに形成された壁開口部に取り付けられた浴室であって、前記筐体は、全体箱状に形成されるとともに前記機能部品の前面側に開口を有した筐体本体と、前記筐体本体の内部側から前記開口を覆う透光性を有したカバー部材と、前記筐体本体の内部に設けられて前記カバー部材を前記筐体本体の開口周辺に向かって押圧する押圧部材と、前記筐体本体の開口周辺と前記カバー部材との間に介装される止水部材と、を備えることを特徴とする。
【０００８】
以上のような本発明によれば、カバー部材を筐体本体の開口周辺に向かって押圧する押圧部材が筐体本体の内部に設けられているので、筐体本体の内部における押圧部材の設置位置や設置箇所数を任意に設定することができ、この押圧部材の設置位置や設置箇所数によって押圧力を調整することができる。従って、筐体本体の形状に制約を与えずに押圧部材の押圧力に応じた適宜な止水性能を得ることができる。また、透光性を有したカバー部材が筐体本体の内部側から開口を覆うように設けられているので、このカバー部材の端縁が外部に露出することがなく、カバー部材の劣化が防止できるとともに、カバー部材を伝っての水の浸入を防いで止水性を向上させることができる。
また、筐体本体の開口周辺とカバー部材との間に止水部材が介装されることで、開口周辺とカバー部材との間における止水性を向上させることができる。さらに、押圧部材からカバー部材に作用する押圧力が止水部材を介して筐体本体の開口周辺に伝達されるので、通常弾性材からなる止水部材を介することで、押圧力を安定して伝達することができるとともに、カバー部材の破損を防止することができる。
また、予め機能部品を収容した状態の筐体を搬送し、この筐体を壁開口部に取り付けることで、取付作業の作業性を向上させることができる。
【０００９】
この際、本発明の機能部品の収容構造は、前記押圧部材と前記カバー部材との間に介装される弾性部材をさらに備えることが好ましい。
【００１０】
この構成によれば、カバー部材との間に介装される弾性部材を介して押圧部材がカバー部材を押圧することで、押圧力を安定して作用させることができるとともに、カバー部材の破損を防止することができる。
【００１３】
また、前記筐体本体は、前記開口が形成されて前記機能部品の前面側に設けられる前枠体と、前記機能部品の背面側に設けられて該機能部品が固定される後枠体と、を水密に連結して構成されることが好ましい。
【００１４】
この構成によれば、筐体本体が前枠体と後枠体とを水密に連結して構成されることで、機能部品が収容しやすくなるとともに、カバー部材や押圧部材の設置作業が容易にでき、押圧力を安定して作用させて止水性を向上させることができる。また、後枠体に機能部品が固定されることで、前枠体の開口周辺に押圧されるカバー部材と、後枠体に固定される機能部品と、を離隔させて収容することができ、搬送中の振動等によって機能部品とカバー部材とが接触することを防いで、これらの破損を防止することができる。
【発明の効果】
【００１７】
以上のような本発明によれば、押圧部材の設置位置や設置箇所数を任意に設定して押圧力を調整することができるので、筐体本体の形状に制約を与えずに押圧部材の押圧力に応じた良好な止水性能を得ることができる。また、カバー部材が筐体本体の内部側に設けられているので、カバー部材の劣化を防止するとともに、カバー部材を伝う水の浸入を防いで止水性を向上させることができる。
【図面の簡単な説明】
【００１８】
【図１】本発明の実施形態に係る浴室の一部を示す斜視図である。
【図２】前記浴室の一部を分解して示す分解斜視図である。
【図３】前記浴室に設けられる機能部品の収容構造を示す分解斜視図である。
【図４】前記機能部品の収容構造を示す縦断面図である。
【図５】前記機能部品の収容構造を示す横断面図である。
【図６】前記機能部品の収容構造を分解して示す縦断面図である。
【図７】前記機能部品の収容構造を分解して示す横断面図である。
【図８】前記機能部品の収容構造を分解して示す横断面図である。
【図９】前記機能部品の収容構造における筐体を分解して示す縦断面図である。
【発明を実施するための形態】
【００１９】
以下、本発明の実施形態を図面に基づいて説明する。本実施形態の浴室ユニット（浴室）１は、図１、２に示すように、床躯体上に束等を介して支持された浴槽２及び洗い場床（防水パン）３と、浴槽２の端縁及び洗い場床３の端縁から立ち上がって設けられた立上部４と、立上部４から立設された複数の柱材としてのポスト５と、隣り合うポスト５間に亘って支持されて浴室内壁面を構成する複数の壁パネル６と、複数のポスト５の頂部を連結して設けられたつなぎ梁７と、つなぎ梁７に支持される図示しない天井パネルと、図示しない浴室出入口や窓等と、を備えて構成されている。また、洗い場の壁面には、鏡８が取り付けられ、その他に、図示しないカウンターや棚、照明器具、水栓金具、カラン、シャワー等が設けられる。
【００２０】
なお、以下では、壁パネル６の面直交方向を見込方向と記し、この見込方向と直交する面内方向を見付方向と記す場合があり、特に、ポスト５や、後述する横材１２，１３、縦材１４，１５等の長尺部材においては、その材軸方向（長手方向）及び見込方向に直交する方向を見付方向として記すことがある。
【００２１】
ポスト５は、溶融亜鉛めっき鋼板などから曲げ加工及び切断加工によって製作され、断面コ字形や断面Ｃ字形に形成されている。このポスト５は、その下端部が浴槽２や洗い場床３の立上部４にブラケット等で固定され、上端部がつなぎ梁７によって隣り合うポスト５の上端部と連結されている。ポスト５は、浴室ユニット１の角部に設けられるコーナーポスト５Ａと、隣り合う壁パネル６が平面的に連続した位置に設けられる平ポスト５Ｂと、を有して構成されている。
【００２２】
壁パネル６は、例えば、鋼板パネルで構成されている。鋼板パネルは、浴室内部側に適宜な化粧面を有する鋼板６Ａ（図５参照）と、この鋼板６Ａの裏面に貼付される石膏ボードや発泡ウレタン等の断熱材６Ｂと、を有し、取付部位に応じた適宜な幅寸法及び高さ寸法に形成されている。鋼板パネルの鋼板６Ａには、その左右両側の端縁から見込方向裏面側に突出する突出片６Ｃと、この突出片６Ｃの先端から見付方向内側かつ浴室内部側に折り返された被係止部６Ｄとが形成されている。この鋼板パネルは、被係止部６Ｄがポスト５の係止片５Ｃに係止されることで、左右のポスト５間に亘って取り付けられている。
【００２３】
複数の壁パネル６のうち、浴槽２の一方側の短辺２Ａに対応する位置の壁パネル６は、上側の上壁パネル６１と下側の下壁パネル６２とに分割され、これらの間に壁開口部６３が形成されている。この壁開口部６３は、矩形状の内周辺を有し、４つの内周辺のうち、上辺は上壁パネル６１の下端縁６４によって構成され、下辺は下壁パネル６２の上端縁６５によって構成され、左右の縦辺は浴槽２の短辺２Ａ両端部から立設された左右一対のポスト５（コーナーポスト５Ａ及び平ポスト５Ｂ）によって構成されている。
【００２４】
以上の浴室ユニット１には、図３にも示すように、機能部品としての映像表示部Ｔを浴室壁に取り付けるための機能部品の取付構造が設けられている。この取付構造は、前記壁開口部６３と、壁開口部６３の左右のポスト５Ａ，５Ｂに固定されて映像表示部Ｔを支持する支持部材としての支持フレーム１１と、支持フレーム１１よりも浴室内側に設けられる化粧フレーム２０と、映像表示部Ｔを収容して支持フレーム１１に固定される筐体３０と、を備えて構成されている。映像表示部Ｔは、映像表示を行う電子機器であり、液晶表示部、有機ＥＬ表示部、ＬＥＤ表示部等の映像表示部を持つ機器であり、テレビ機器として、図示しない電源装置やテレビアンテナ、チューナー、録画装置、スピーカー等に有線あるいは無線によって接続されてもよい。
【００２５】
支持フレーム１１は、壁開口部６３の上辺である上壁パネル６１の下端縁６４に沿った上側の横材１２と、壁開口部６３の下辺である下壁パネル６２の上端縁６５に沿った下側の横材１３と、壁開口部６３の左右の縦辺である左右一対のポスト５Ａ，５Ｂにそれぞれ沿った一対の縦材１４，１５と、を四周枠組みして構成されている。これらの横材１２，１３及び縦材１４，１５は、それぞれステンレス鋼板等の金属材料を曲げ加工して形成されており、支持フレーム１１の四隅において横材１２，１３及び縦材１４，１５の端部同士が溶接によって接合されて矩形枠状に一体化されている。また、支持フレーム１１における縦材１４，１５の浴室側には、後述する金属プレート１６，１７が設けられ、縦材１５と平ポスト５Ｂとの間には、位置決め部材１８が設けられている。
【００２６】
化粧フレーム２０は、支持フレーム１１及び筐体３０の浴室側に設けられる矩形枠状の被覆部材であって、上下左右の四周に設けられるアルミ形材製の化粧材２１と、これらの化粧材２１を四隅で接続する図示しない接続部材と、を有して構成されている。なお、化粧材２１は、アルミ形材製に限らず、他の金属製でもよいし、樹脂製やガラス製などでもよく、その材質は特に限定されない。この化粧フレーム２０は、係止部材２２によって筐体３０の前面側に取り付けられるようになっている。
【００２７】
機能部品の収容構造１０は、筐体３０と、押圧手段４０と、止水部材４３と、を備えて構成されている。筐体３０は、全体箱状に形成されるとともに映像表示部Ｔの前面側に開口３０Ａを有した筐体本体３１と、この筐体本体３１の内部側から開口３０Ａを覆う透光性を有したカバー部材としての透明板３２と、を有して構成されている。筐体本体３１は、支持フレーム１１の内側に挿通可能で矩形状に連続する外周辺３３（上辺３３Ａ、下辺３３Ｂ、左側の縦辺３３Ｃ、及び右側の縦辺３３Ｄ）を有するとともに、この四方の外周辺３３には、それぞれ見付方向外方に延出する延出片３４が形成されている。これらの延出片３４は、固定部としてのビス３５によって支持フレーム１１の横材１２，１３及び縦材１４，１５に固定され、これにより筐体３０が設置対象部としての壁開口部６３に固定されるようになっている。
【００２８】
押圧手段４０は、筐体本体３１の内部に設けられて透明板３２を筐体本体３１の開口３０Ａ周辺（後述する開口周辺部３６２）に向かって押圧する押圧部材４１と、押圧部材４１と透明板３２との間に介装される弾性部材４２と、を有して構成されている。また、止水部材４３は、開口周辺部３６２と透明板３２との間に介装されている。
【００２９】
以下、図４〜８も参照して支持フレーム１１の詳細構造及び浴室ユニット１への取付構造を詳しく説明する。ここで、図６は、図４における筐体３０の下辺３３Ｂ近傍を拡大して示す分解断面図である。この下辺３３Ｂ近傍における取付構造と、筐体３０の上辺３３Ａ近傍における取付構造と、が上下対称であるため、上辺３３Ａ近傍における取付構造に係る符号を図６中の括弧内に示すこととする。また、図７は、図５における筐体３０の左側の縦辺３３Ｃ近傍を拡大して示す分解断面図であり、図８は、図５における筐体３０の右側の縦辺３３Ｄ近傍を拡大して示す分解断面図である。
【００３０】
支持フレーム１１の上側の横材１２は、図４、６にも示すように、見込方向（壁パネル６の面直交方向）に延びる見込み面部１２１と、この見込み面部１２１の浴室内部側端部から下方に折れ曲がって延びる第一延出面部１２２と、見込み面部１２１の浴室外部側端部から上方に折れ曲がって延びる第二延出面部１２３と、を有して断面クランク状に形成されている。見込み面部１２１は、上壁パネル６１の下端縁６４から離隔して下端縁６４に対向するように設けられている。第一延出面部１２２は、上壁パネル６１の浴室内壁面と略平坦に設けられ、ビス孔１２４にビス３５が螺合されることで筐体３０の延出片３４が固定されるようになっている。第二延出面部１２３は、上壁パネル６１の裏面に沿って延び、上壁パネル６１を背面側から係止可能に設けられている。
【００３１】
下側の横材１３は、図４、６にも示すように、上側の横材１２と略同様に、見込方向に延びる見込み面部１３１と、この見込み面部１３１の浴室内部側端部から上方に折れ曲がって延びる第一延出面部１３２と、見込み面部１３１の浴室外部側端部から下方に折れ曲がって延びる第二延出面部１３３と、を有して断面クランク状に形成されている。見込み面部１３１は、下壁パネル６２の上端縁６５から離隔して上端縁６５に対向するように設けられている。第一延出面部１３２は、下壁パネル６２の浴室内壁面と略平坦に設けられ、ビス孔１３４にビス３５が螺合されることで筐体３０の延出片３４が固定されるようになっている。第二延出面部１３３は、下壁パネル６２の裏面に沿って延び、下壁パネル６２を背面側から係止可能に設けられている。
【００３２】
支持フレーム１１の左右一方（浴室内部側から見て左側）の縦材１４は、図５、７にも示すように、コーナーポスト５Ａに沿って見込方向に延びる見込み面部１４１と、この見込み面部１４１の浴室内部側端部から見付方向内方（壁開口部６３の内側）に折れ曲がって延びる延出面部１４２と、を有して断面Ｌ字状に形成されている。この縦材１４は、見込み面部１４１を貫通する固着具としてのビス１４３によってコーナーポスト５Ａに固定されている。延出面部１４２は、横材１２，１３の第一延出面部１２２，１３２と平坦に設けられ、ビス孔１４４にビス３５が螺合されることで筐体３０の延出片３４が固定されるようになっている。
【００３３】
支持フレーム１１の左右他方（浴室内部側から見て右側）の縦材１５は、図５、８にも示すように、平ポスト５Ｂに沿って見込方向に延びる見込み面部１５１と、この見込み面部１５１の浴室内部側端部から見付方向内方（壁開口部６３の内側）に折れ曲がって延びる延出面部１５２と、を有して断面Ｌ字状に形成されている。この縦材１５は、見込み面部１５１を貫通する固着具としてのビス１５３によって平ポスト５Ｂに固定されている。延出面部１５２は、横材１２，１３の第一延出面部１２２，１３２と平坦に設けられ、ビス孔１５４にビス３５が螺合されることで筐体３０の延出片３４が固定されるようになっている。
【００３４】
金属プレート１６は、支持フレーム１１の縦材１４に沿って長尺状に形成されるとともに、図５、７にも示すように、縦材１４の延出面部１４２に沿って見付方向に延びる第一面部１６１と、この第一面部１６１の見付方向外端部から見込方向の浴室外部側に延びる第二面部１６２と、この第二面部１６２の浴室外部側端部から外方に折れ曲がって延びる位置決め片１６３と、を有して断面クランク状に形成されている。第一面部１６１は、縦材１４の延出面部１４２と筐体３０の延出片３４との間に挟持され、第二面部１６２は、縦材１４の見込み面部１４１とコーナーポスト５Ａとの間に挟持されている。位置決め片１６３は、コーナーポスト５Ａの浴室外部側の側面に当接することで、金属プレート１６が見込方向に位置決めされる。このように金属プレート１６をコーナーポスト５Ａに対して位置決めした状態において、縦材１４及び金属プレート１６にビス１４３を貫通させ、このビス１４３をコーナーポスト５Ａに螺合させることで、支持フレーム１１がコーナーポスト５Ａに対して所定の見込位置に固定できるようになっている。
【００３５】
金属プレート１７は、支持フレーム１１の縦材１５に沿って長尺状に形成されるとともに、図５、８にも示すように、縦材１５の延出面部１５２に沿って見付方向に延びる第一面部１７１と、この第一面部１７１の見付方向外端部から見込方向の浴室外部側に延びる第二面部１７２と、この第二面部１７２の先端から見付方向内側かつ浴室内部側に折り返された被係止部１７３と、を有して形成されている。第一面部１７１は、縦材１５の延出面部１５２と筐体３０の延出片３４との間に挟持される。第二面部１７２及び被係止部１７３は、隣り合う壁パネル６の突出片６Ｃ及び被係止部６Ｄと同様の納まりによって平ポスト５Ｂの係止片５Ｃに係止される。これによって金属プレート１７及び壁パネル６の平ポスト５Ｂに対する係止が維持されるようになっている。
【００３６】
位置決め部材１８は、支持フレーム１１の縦材１５に沿った複数個所（本実施形態では３箇所）に設けられるピース部材であって、図５、８にも示すように、見込方向に延びる見込面部１８１と、この見込面部１８１の浴室外部側端部から見付方向外方に折れ曲がって延びる位置決め片１８２と、を有して断面Ｌ字状に形成されている。見込面部１８１は、縦材１５の見込み面部１５１と平ポスト５Ｂとの間に挟持されている。位置決め片１８２は、平ポスト５Ｂの浴室外部側の側面に当接することで、位置決め部材１８が見込方向に位置決めされる。このように位置決め部材１８を平ポスト５Ｂに対して位置決めした状態において、縦材１５及び位置決め部材１８にビス１５３を貫通させ、このビス１５３を平ポスト５Ｂに螺合させることで、支持フレーム１１が平ポスト５Ｂに対して所定の見込位置に固定できるようになっている。
【００３７】
以上のように、左側の縦材１４が金属プレート１６によってコーナーポスト５Ａに対して位置決めされるとともに、見込み面部１４１を貫通するビス１４３によってコーナーポスト５Ａに固定され、右側の縦材１５が位置決め部材１８によって平ポスト５Ｂに対して位置決めされるとともに、見込み面部１５１を貫通するビス１５３によって平ポスト５Ｂに固定されることで、支持フレーム１１は、左右のポスト５に亘って固定される。このように支持フレーム１１が左右のポスト５に亘って壁開口部６３に固定されることで、上壁パネル６１の下端縁６４に沿って上側の横材１２が支持され、下壁パネル６２の上端縁６５に沿って下側の横材１３が支持される。この際、横材１２の見込み面部１２１と上壁パネル６１の下端縁６４とは互いに離隔して設けられ、横材１３の見込み面部１３１と下壁パネル６２の上端縁６５とは互いに離隔して設けられることで、支持フレーム１１からの荷重が壁パネル６に伝達されないようになっている。
【００３８】
次に、図６〜８も参照して、化粧フレーム２０の詳細構造及び取付構造について説明する。化粧フレーム２０の四周に設けられる化粧材２１は、各々同一断面を有して形成され、浴室内部側の見えがかり面となる見付け面部２１１と、この見付け面部２１１の見付方向外端縁から見込方向に延びる見込み面部２１２と、見付け面部２１１の背面と見込み面部２１２の先端を連結する補強面部２１３と、見付け面部２１１の背面から見込方向に突出した被係止面部２１４と、を有して形成されている。また、見付け面部２１１の見付方向内端縁には、背面側に突出した第一突条２１５が設けられ、補強面部２１３の見込方向背面側には、第二突条２１６が設けられている。
【００３９】
係止部材２２は、金属製の板バネ材から曲げ加工により成形されるピース部材であって、筐体３０の上辺３３Ａ及び下辺３３Ｂにおける延出片３４にそれぞれ３箇所ずつ設けられ、筐体３０の左右の縦辺３３Ｃ，３３Ｄにおける延出片３４にそれぞれ２箇所ずつ設けられている。係止部材２２は、ビス３５によって延出片３４に固定される固定片部２２１と、固定片部２２１から浴室内部側に屈曲状に延びる係止片部２２２と、を有して形成されている。このような係止部材２２は、固定片部２２１を貫通するビス３５によって筐体３０の延出片３４に固定されるとともに、係止片部２２２によって化粧材２１の被係止面部２１４を係止することで、筐体３０に対して化粧フレーム２０を係脱自在に支持するように構成されている。
【００４０】
このように筐体３０の浴室内部側（前面側）に取り付けられた化粧フレーム２０において、第一突条２１５は、その先端が筐体３０の透明板３２に近接して設けられ、この第一突条２１５の先端と透明板３２との間は、シリコンシール２３によって止水処理が施されている。また、第二突条２１６は、上下辺において上壁パネル６１及び下壁パネル６２の浴室内面に当接又は近接し、左辺において金属プレート１６の第一面部１６１に当接又は近接し、右辺において金属プレート１７の第一面部１７１に当接又は近接して設けられている。このような第二突条２１６と、上壁パネル６１、下壁パネル６２、及び金属プレート１６，１７との間には、必要に応じてシール材が設けられていてもよい。
【００４１】
次に、図９も参照して、筐体３０の詳細構造及び取付構造について説明する。筐体本体３１は、開口３０Ａが形成されて映像表示部Ｔの前面側に設けられる前枠体３６と、映像表示部Ｔの背面側に設けられて映像表示部Ｔが固定される後枠体３７と、を水密に連結して構成されている。前枠体３６及び後枠体３７は、それぞれステンレス鋼板等の金属板材にプレス加工等を施して形成されている。透明板３２は、板ガラスから形成され、その前面あるいは後面には反射防止コーティング等の適宜な表面処理が施されている。
【００４２】
前枠体３６は、全体矩形枠状に形成されるとともに、筐体３０の外周辺３３の前側部分を構成する前見込面部３６１と、この前見込面部３６１の前端縁から見付方向内側に延びて開口３０Ａの周辺部を構成する開口周辺部３６２と、前見込面部３６１の後端縁から見付方向外側に延びる前延出片３６３と、を有して形成されている。後枠体３７は、前方側が開口した全体箱状に形成されるとともに、筐体３０の外周辺３３の後側部分を構成する後見込面部３７１と、この後見込面部３７１の後端縁に連続した板状の背面部３７２と、後見込面部３７１の前端縁から見付方向外側に延びる後延出片３７３と、を有して形成されている。後枠体３７の背面部３７２には、映像表示部Ｔを固定するための複数の背面固定部３７４が設けられている。
【００４３】
筐体３０の延出片３４は、前延出片３６３と、後延出片３７３と、これらの間に介装される止水材３８と、が前後方向に重ねられるとともに、周方向に複数設けられるビス３９によって固着されて構成されている。このように構成される延出片３４は、筐体３０の最前部である開口周辺部３６２から前見込面部３６１の前後寸法分だけ後退するとともに、筐体３０の最後部である背面部３７２から後見込面部３７１の前後寸法分だけ前進した位置に設けられ、すなわち、筐体３０の外周辺３３における前後方向の中間部から外方に突出して形成されている。また、延出片３４（前延出片３６３及び後延出片３７３）には、ビス３９が貫通するとともに螺合する貫通孔３４１と、ビス３５を挿通させるための複数の挿通孔３４２（図６〜８参照）と、が形成されている。さらに、延出片３４と上壁パネル６１、下壁パネル６２、及び金属プレート１６，１７との間には、シール材３４Ａが設けられている。また、前延出片３６３と後延出片３７３との間に止水材３８が介装されていることにより、前枠体３６と後枠体３７とを水密に連結させることができる。
【００４４】
筐体３０の内部における上辺３３Ａ、下辺３３Ｂ、左右の縦辺３３Ｃ，３３Ｄの各辺に沿った複数個所には、透明板３２を開口周辺部３６２に向かって押圧する押圧手段４０が設けられている。この押圧手段４０は、後枠体３７側に設けられる金属製の押圧部材４１と、この押圧部材４１と透明板３２との間に介装される弾性部材４２と、を有して構成されている。押圧部材４１は、図４〜９に示すように、断面コ字状に形成され、四方の外周辺３３それぞれに沿って設けられている。押圧部材４１は、その後端部を後枠体３７の背面部３７２に当接させ、前端部で弾性部材４２を介して透明板３２を前方に向かって押圧するように構成されている。また、透明板３２の前面と開口周辺部３６２との間には止水部材４３が四周連続して介装され、透明板３２の四周端縁と前見込面部３６１の内面との間には、透明板３２の面内移動を規制する規制部材４４が介装されている。なお、本実施形態において、止水部材４３は、弾性材を用いて形成されている。
【００４５】
このように透明板３２は、押圧手段４０によって前方に押圧されるとともに、開口周辺部３６２との間に止水部材４３が介装されていることで、筐体３０の内部において弾性支持され、前後方向への移動が規制されている。さらに、透明板３２は、規制部材４４によって面内方向への移動が規制されているので、筐体本体３１に安定して支持されるとともに、外部からの衝撃が伝達しにくくなっている。また、映像表示部Ｔは、背面固定部３７４によって後枠体３７に固定されているので、映像表示部Ｔと透明板３２とを一体化する必要がなく、互いに離隔させることができるので、外部からの振動や衝撃による映像表示部Ｔ及び透明板３２の破損が防止できるようになっている。
【００４６】
筐体３０の組立手順としては、先ず、背面固定部３７４によって後枠体３７に映像表示部Ｔを固定するとともに、弾性部材４２を貼り付けた押圧部材４１を後枠体３７にセットしておく。一方、前枠体３６において、前見込面部３６１の内面に規制部材４４をセットするとともに、前面外周に沿って止水部材４３を貼り付けた透明板３２を開口周辺部３６２にセットしておく。このような前枠体３６及び後枠体３７において、前延出片３６３と後延出片３７３との間に止水材３８を挟み込むとともに、これらの前延出片３６３と後延出片３７３とをビス３９によって固着することで、映像表示部Ｔ及び透明板３２を筐体本体３１に内蔵した筐体３０が組み立てられる。
【００４７】
以上のように組み立てられた筐体３０は、映像表示部Ｔ及び透明板３２を内蔵した状態で浴室ユニット１の施工現場まで搬送され、壁開口部６３の支持フレーム１１に固定される。具体的には、前述したように、支持フレーム１１の縦材１４，１５をビス１４３，１５３によって左右のポスト５に固着することによって、支持フレーム１１を壁開口部６３に固定しておく。この支持フレーム１１に対して浴室内部側から筐体３０をセットし、その延出片３４の挿通孔３４２にビス３５を挿通し、このビス３５を横材１２，１３及び縦材１４，１５のビス孔１２４，１３４，１４４，１５４に螺合することによって、支持フレーム１１に筐体３０を固定する。
【００４８】
なお、支持フレーム１１に対して筐体３０をセットする前に、筐体３０の延出片３４にシール材３４Ａを貼り付けておくとともに、縦材１５の浴室側に金属プレート１７を接着しておくものとする。また、筐体３０の延出片３４の挿通孔３４２にビス３５を挿通する際には、このビス３５の頭部と延出片３４との間に係止部材２２を挟んでおく。このように筐体３０を支持フレーム１１に固定したら、筐体３０に取り付けられた係止部材２２の係止片部２２２に化粧材２１の被係止面部２１４を係止させることで、筐体３０に対して化粧フレーム２０を取り付け、化粧材２１の第一突条２１５と筐体３０の透明板３２との間をシリコンシール２３で止水する。以上によって、筐体３０及び筐体３０に収容された映像表示部Ｔの浴室ユニット１への取り付けが完了する。
【００４９】
以上のような本実施形態によれば、以下のような効果がある。即ち、透明板３２を筐体本体３１の開口周辺部３６２に向かって押圧する押圧部材４１が筐体本体３１の内部に設けられているので、筐体本体３１の内部における押圧部材４１の設置位置や設置箇所数を任意に設定することができ、押圧部材４１の設置位置や設置箇所数によって押圧力を調整することができる。従って、筐体本体３１の形状に制約を与えずに押圧部材４１の押圧力に応じた適宜な止水性能を得ることができる。また、透光性を有した透明板３２が筐体本体３１の内部側から開口３０Ａを覆うように設けられているので、透明板３２の端縁が外部に露出することがなく、透明板３２の劣化が防止できるとともに、透明板３２を伝っての水の浸入を防いで止水性を向上させることができる。
【００５０】
また、押圧部材４１と透明板３２との間に介装される弾性部材４２が設けられていることから、透明板３２との間に介装される弾性部材４２を介して押圧部材４１が透明板３２を押圧することで、押圧力を安定して作用させることができるとともに、透明板３２の破損を防止することができる。
【００５１】
また、筐体本体３１の開口周辺部３６２と透明板３２との間に介装される止水部材４３が設けられていることから、開口周辺部３６２と透明板３２との間における止水性を向上させることができる。さらに、押圧部材４１から透明板３２に作用する押圧力が止水部材４３を介して筐体本体３１の開口周辺部３６２に伝達されるので、弾性材からなる止水部材４３を介することで、押圧力を安定して伝達することができるとともに、透明板３２の破損を防止することができる。
【００５２】
また、筐体本体３１が、開口３０Ａが形成されて映像表示部Ｔの前面側に設けられる前枠体３６と、映像表示部Ｔの背面側に設けられて映像表示部Ｔが固定される後枠体３７と、を水密に連結して構成されている。このことから、映像表示部Ｔが収容しやすくなるとともに、透明板３２や押圧部材４１の設置作業が容易にでき、押圧力を安定して作用させて止水性を向上させることができる。また、後枠体３７に映像表示部Ｔが固定されることで、前枠体３６の開口周辺部３６２に押圧される透明板３２と、後枠体３７に固定される映像表示部Ｔと、を離隔させて収容することができ、搬送中の振動等によって映像表示部Ｔと透明板３２とが接触することを防いで、これらの破損を防止することができる。
【００５３】
また、止水性能が高められた機能部品の収容構造１０によって機能部品である映像表示部Ｔを収容した筐体３０が浴室ユニット１に形成された壁開口部６３に取り付けられたことから、浴室で使用する際の水の浸入や湿気による映像表示部Ｔの劣化を防止することができる。また、予め映像表示部Ｔを収容した状態の筐体３０を搬送し、この筐体３０を壁開口部６３に取り付けることで、取付作業の作業性を向上させることができる。
【００５４】
なお、本発明は、前記実施形態に限定されるものではなく、本発明の目的が達成できる他の構成等を含み、以下に示すような変形等も本発明に含まれる。例えば、前記実施形態では、機能部品が映像表示部Ｔである場合を例示したが、機能部品としては、映像表示部Ｔに限らず、テレビ受像機能を備えない表示装置であってもよいし、パーソナルコンピュータやゲーム機器、音響機器、冷暖房装置、照明装置、冷蔵庫、時計などの電気機器であってもよい。さらに、機能部品としては、電気機器に限らず、収納装置や鏡（通常の鏡やハーフミラー等）などの浴室付属部品であってもよいし、水槽、絵画、彫刻などの装飾品であってもよく、その品種や品目は特に限定されない。
【００５５】
また、前記実施形態においては、押圧部材４１は、断面コ字状に形成され、四方の外周辺３３それぞれに沿って設けられていたが、透明板３２に対する所望の押圧力に合わせて、押圧部材４１の形状、材質、設置位置、設置箇所数等を種々変更することができる。
【００５６】
また、前記実施形態においては、筐体本体３１が開口３０Ａが形成されて映像表示部Ｔの前面側に設けられた前枠体と、映像表示部Ｔの背面側に設けられた後枠体３７と、の前後に分割された部材を有して全体箱体に構成されていたが、例えば左右に分割されていてもよく、また、分割されずに一体の箱状に形成されていてもよい。
【００５７】
また、前記実施形態においては、透明板３２は、板ガラスを用いて形成されていたが、複層ガラス等を用いて形成されていてもよい。また、透明板３２は、透光性を有した材料を用いて形成されていればよく、例えば、軽量化を図るためにアクリル樹脂等の合成樹脂を用いてもよい。
【００５８】
また、前記実施形態においては、透明板３２に反射防止コーティング等の適宜な表面処理が施されていたが、機能性を有するフィルムを貼ることにより表面処理が施されていてもよい。具体的には、傷防止フィルム、防曇フィルム、変更フィルム、撥水フィルム等を用いることができる。
【００５９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６０】
１          浴室ユニット
２          浴槽
６          壁パネル
１０        機能部品の収容構造
３０        筐体
３１        筐体本体
３２        透明板（カバー部材）
３６        前枠体
３７        後枠体
４１        押圧部材
４２        弾性部材
４３        止水部材
３０Ａ      開口
３６２      開口周辺部
Ｔ          映像表示部（機能部品）
【図１】
0006273172.tif 000002
【図２】
0006273172.tif 000003
【図３】
0006273172.tif 000004
【図４】
0006273172.tif 000005
【図５】
0006273172.tif 000006
【図６】
0006273172.tif 000007
【図７】
0006273172.tif 000008
【図８】
0006273172.tif 000009
【図９】
0006273172.tif 000010